(57)【要約】      （修正有）【課題】キャップ本体が邪魔になることなくペットボトルから飲料水を直接飲んだり容器に注いだりすることができるペットボトル用キャップを提供する。【解決手段】ペットボトルの口部に螺合されるキャップ本体２と係止部材３とを備える。係止部材は、口部の外周に回転可能に装着されつば部に係止されて口部からの離脱が防止される係止リング４と、キャップ本体を開閉可能に支持しかつキャップ本体を開状態に保持するヒンジ６と、ヒンジを係止リングに対して口部の軸方向に移動可能に支持する可動部５とを有する。口部を閉じているキャップ本体を回転させたとき、キャップ本体の回転に伴って係止リングが口部の外周をその周方向に回転しつつ可動部を介してヒンジが係止リングに対して口部の軸方向に移動しキャップ本体が口部から離脱可能な位置に達し、口部を開けられる。開栓時、キャップ本体は開状態に保持される。【選択図】図１
0003167601.tif 000002
【実用新案登録請求の範囲】
【請求項１】
ペットボトルの外周にねじ部及びつば部が形成された口部のねじ部に螺合されてその口部を開可能に閉じるキャップ本体と、前記ペットボトルのつば部に係止される係止部材とを備えたペットボトル用キャップであって、
前記係止部材は、前記ペットボトルの口部の外周にその周方向に回転可能に装着され前記つば部に係止されて口部からの離脱が防止される係止部が内周面に設けられた係止リングと、前記キャップ本体を開閉可能に支持しかつ前記キャップ本体を開状態に保持するヒンジと、前記係止リングと前記ヒンジを連結し前記ヒンジを前記係止リングに対して前記口部の軸方向に移動可能に支持する可動部と、前記係止リングと前記可動部、前記可動部と前記キャップ本体、前記係止リングと前記キャップ本体のこれら３つの少なくとも１つを連結し一度開栓すると破断する破断部とを有し、
前記キャップ本体を閉栓状態から開栓方向に前記口部に対して回転させたとき、前記キャップ本体の回転に伴って前記係止リングが前記口部の外周をその周方向に回転しつつ前記可動部を介して前記ヒンジが前記係止リングに対して前記口部の軸方向に移動し前記キャップ本体が前記口部から離脱可能な位置に達し、この状態から前記キャップ本体を前記ヒンジを介して前記口部を開くとこのキャップ本体が開状態に保持され、かつ、開状態に保持されたキャップ本体を閉じてこのキャップ本体を前記口部のねじ部に螺合させることで前記口部が閉じられるように構成されていることを特徴とするペットボトル用キャップ。
【請求項２】
前記キャップ本体及び前記係止部材は、合成樹脂材で弾性変形可能に一体に形成され、
前記可動部は、前記口部の外周に装着されるリング状に形成され、この可動部の下端部の一部が前記係止リングの上端部に連結され、かつ、この連結箇所と周方向に１８０°ずれた前記可動部の上端部に前記ヒンジが形成されている請求項１に記載のペットボトル用キャップ。
【請求項３】
前記ヒンジは、前記キャップ本体と前記可動部とを連結する連結部と、前記連結部の両側に設けられ前記キャップ本体と前記可動部とを連結しかつ前記キャップ本体と前記可動部との間隔より長い寸法で断面屈曲状に形成されている保持部とを有し、前記キャップ本体で前記口部を閉じたとき、前記保持部の角部が前記キャップ本体とは反対側に突出し、前記キャップ本体を閉状態から開状態にしたとき、前記保持部の角部が前記キャップ本体側に突出するように前記保持部の形状が変化して前記キャップ本体が開状態に保持され、かつ、開状態のキャップ本体を閉状態にしたとき、前記保持部の角部が前記キャップ本体側からキャップ本体と反対側に突出するように前記保持部の形状が変化するように構成されている請求項１又は２に記載のペットボトル用キャップ。
【請求項４】
前記係止部は、前記係止リングの内周面にその周方向に間隔をあけて複数設けられ、その内周面から径方向内方に突出しかつ前記口部の軸方向と直交する面に平行な平板状に形成された係合片からなる請求項１〜３のいずれか１項に記載のペットボトル用キャップ。
【考案の詳細な説明】
【技術分野】
【０００１】  本考案は、清涼飲料水等の飲料水が充填されたペットボトルの口部に取り付けられるペットボトル用キャップに関するものである。
【背景技術】
【０００２】  清涼飲料水等の飲料水が充填された容器としてペットボトルが知られている。ペットボトルの口部は、略円筒状に形成されている。その口部の外周には、開口側からねじ部及び口部の軸方向に間隔をあけた２つのつば部が設けられている。ペットボトルの口部には、キャップが取り付けられている。キャップは、ペットボトルの口部のねじ部に螺合されてその口部を開可能に閉じるキャップ本体と、ペットボトルのつば部間に装着され上方のつば部に係止されて口部からの離脱が防止される係止リングとを備えている。【０００３】  キャップ本体と係止リングとは破断部を介して連接された状態でペットボトルの口部に取り付けられて不正開封防止機能が付与されており、一度開栓すると、係止リングとキャップ本体とが互いに破断部で離脱して係止リングがペットボトルの口部の外周に残るようになっている。ペットボトル内の飲料水をペットボトルから直接飲んだり、コップ等の容器に注いだりするとき、キャップ本体をペットボトルから離脱させて近くに置いたりすると、特に車等の乗り物では車体が揺れるために、キャップ本体が置いてある箇所から転がって見失ったり紛失したりすることがある。このため、キャップ本体と係止リングとを紐状の連結部で連結するペットボトル用キャップが提案されている（例えば、特許文献１，２参照。）。【０００４】  このように、キャップ本体と係止リングとを紐状の連結部で連結することで、キャップ本体をペットボトルから離脱させてキャップ本体から手を離してもキャップ本体が係止リングに紐状の連結部で連結されているので、キャップ本体を見失ったり紛失したりすることがなくなる。
【考案の概要】
【考案が解決しようとする課題】
【０００５】  上述のペットボトル用キャップは、開栓時にキャップ本体をペットボトルから離脱させたとき、キャップ本体と係止リングが紐状の連結部で連結されているので、キャップ本体を見失ったり紛失したりすることはなくなる。しかし、連結部が紐状で形成されているので、キャップ本体がペットボトルに対して紐状の連結部で連結された範囲で自由に動く。このため、ペットボトル内の飲料水をペットボトルから直接飲む場合、キャップ本体が顔に当たったり顔に接触したりして飲み難いことがあった。また、ペットボトル内の飲料水をコップ等の容器に注ぐときに、キャップ本体がペットボトルから注ぐ飲料水に接触したり注ぐ飲料水の近傍に位置されたり容器に当たったり容器に接触したりして飲料水を容器に注ぎ難いことがあった。【０００６】  そこで、本考案の目的は、キャップ本体が邪魔になることなくペットボトルから飲料水を直接飲んだり容器に注いだりすることができるペットボトル用キャップを提供することにある。
【課題を解決するための手段】
【０００７】  前記の目的を達成するための本考案に係るペットボトル用キャップは、ペットボトルの外周にねじ部及びつば部が形成された口部のねじ部に螺合されてその口部を開可能に閉じるキャップ本体と、前記ペットボトルのつば部に係止される係止部材とを備えているペットボトル用キャップであって、前記係止部材は、前記ペットボトルの口部の外周にその周方向に回転可能に装着され前記つば部に係止されて口部からの離脱が防止される係止部が内周面に設けられた係止リングと、前記キャップ本体を開閉可能に支持しかつ前記キャップ本体を開状態に保持するヒンジと、前記係止リングと前記ヒンジを連結し前記ヒンジを前記係止リングに対して前記口部の軸方向に移動可能に支持する可動部と、前記係止リングと前記可動部、前記可動部と前記キャップ本体、前記係止リングと前記キャップ本体のこれら３つの少なくとも１つを連結し一度開栓すると破断する破断部とを有し、前記キャップ本体を閉栓状態から開栓方向に前記口部に対して回転させたとき、前記キャップ本体の回転に伴って前記係止リングが前記口部の外周をその周方向に回転しつつ前記可動部を介して前記ヒンジが前記係止リングに対して前記口部の軸方向に移動し前記キャップ本体が前記口部から離脱可能な位置に達し、この状態から前記キャップ本体を前記ヒンジを介して前記口部を開くとこのキャップ本体が開状態に保持され、かつ、開状態に保持されたキャップ本体を閉じてこのキャップ本体を前記口部のねじ部に螺合させることで口部が閉じられるように構成されていることを特徴とする。【０００８】  このように、ペットボトルの口部を閉じているキャップ本体を開栓方向に口部に対して回転させたとき、キャップ本体の回転に伴って係止リングが口部の外周をその周方向に回転しつつ可動部を介してヒンジが前記係止リングに対して口部の軸方向に移動してキャップ本体が口部から離脱可能な位置に達し、この状態からキャップ本体をヒンジによって口部を開くとこのキャップ本体が開状態に保持されるから、ペットボトル内の飲料水をペットボトルから直接飲む場合、キャップ本体が邪魔になることなくペットボトルから飲料水を直接飲める。また、ペットボトル内の飲料水をコップ等の容器に注ぐときにもキャップ本体が邪魔になることなくペットボトルから飲料水を容器に注げる。
【考案の効果】
【０００９】  本考案によれば、キャップ本体が邪魔になることなくペットボトルから飲料水を直接飲んだり容器に注いだりすることができる。
【図面の簡単な説明】
【００１０】
【図１】  本考案に係る一例の実施形態のペットボトル用キャップで開栓後のペットボトルから離脱させた状態を示した斜視図である。
【図２】  本実施形態の一例のペットボトル用キャップでキャップ本体を開状態に保持した状態を示す斜視図である。
【図３】  本実施形態の一例のペットボトル用キャップをペットボトルの口部に装着した状態を示す側面図で、（ａ）は未開封状態を示す図、（ｂ）はキャップ本体がペットボトルの口部を開け得る位置に達した開可能状態を示す図、（ｃ）は開可能状態からキャップ本体を開いた直後の状態を示す図、（ｄ）はキャップ本体が外部からの力を受けずに開状態に保持されている状態を示す図である。
【考案を実施するための形態】
【００１１】  以下、本考案に係るペットボトル用キャップの一実施形態を添付図面に基づいて詳述する。
本実施形態の一例のペットボトル用キャップ（以下、単に「キャップ１」という。）は、図３に示すように、清涼飲料水等の飲料水が充填されたペットボトル１０の口部１１の開閉を行うものである。ペットボトル１０は、周知のものを用いることができる。ペットボトル１０の口部１１は、略円筒状に形成されている。ペットボトル１０の口部１１の外周には、開口側からねじ部１２及びつば部１３，１４が順次設けられている。つば部は、１つだけでもよいが、本実施形態では、２つのつば部１３，１４を有する場合について説明する。２つのつば部１３，１４は、口部１１の軸方向に間隔をあけて設けられている。上方のつば部１３は、外径がねじ部の外径より大きな寸法の円板状（実際には円筒状）に形成されている。下方のつば部１４は、外径が上方のつば部１３の外径より大きな寸法の円板状（実際には円筒状）に形成されている。このペットボトル１０の口部１１にキャップ１が螺合されて取り付けられている。
【００１２】  キャップ１は、図１〜図３に示すように、ペットボトル１０の口部１１のねじ部１２に螺合されてその口部１１を開可能に閉じるキャップ本体２と、ペットボトル１０の上方のつば部１２に係止される係止部材３とを備えている。キャップ本体２及び係止部材３は、合成樹脂材で一体に形成されて、キャップ１は弾性変形可能に形成されている。
【００１３】  キャップ本体２は、ペットボトル１０の口部１１を開閉するキャップ本体２として用いられている周知のものと基本的な形状が同じで、円板状の天板２ａと円筒状の側部２ｂとで有底円筒状に形成されている。キャップ本体２内には、キャップ本体２で口部１１を閉じたとき、ペットボトル１０の口部１１の開口を密閉する円筒状の密閉部２１が形成されている。なお、密閉部２１の代わりに別部材のパッキンをキャップ本体２内に装着するようにしてもよい。側部２ｂの内周面には、ペットボトル１０の口部１１のねじ部１２に螺合して口部１１を閉じるためのねじ部２ｃが設けられている。また、側部２ｂの外表面には、キャップ本体２をペットボトル１０の口部１１に対して回転させやすいように滑り止め部２ｄを形成するようにしてもよい。
【００１４】  係止部材３は、ペットボトル１０の口部１１の外周にその周方向に回転可能でかつ口部１１からの離脱が防止された状態で装着される係止リング４と、キャップ本体２を開閉可能に支持しかつキャップ本体２を開状態に保持するヒンジ６と、ヒンジ６を係止リング４に対して口部１１の軸方向に移動可能に支持する可動部と、一度開栓すると破断する破断部７とを有している。
【００１５】  係止リング４は、内径が上方のつば部１３の外径より大きくかつ下方のつば部１４の外径より小さな寸法のリング状に形成されている。係止リング４の内周面には、ペットボトル１０の口部１１の開口から口部１１の外周に係止リング４を装着し、かつ、口部１１の上方のつば部１３に係止されて係止リング４の口部１１からの離脱を防止する係止部が設けられている。係止部は、係止リング４のペットボトル１０の口部１１への装着と、係止リング４の口部１１からの離脱の防止を行えるならばその形状は特に限定されないが、例えば、係止リング４の内周面にその周方向に間隔をあけて複数設けられた係合片８で形成してもよい。なお、係合片８の係止リング４の口部１１からの離脱の防止は、実際は離脱すると係合片８が折れ曲がったり破損したりして口部１１から離脱させたことが一目で把握できるように係合片８を形成することが好ましい。係合片８は、係止リング４の内周面から径方向内方に突出し、かつ、係止リング４の軸方向に可撓可能で口部１１の軸方向と直交する面に平行な略台形平板状に形成されている。係合片８は、係止リング４の内周面にその周方向に間隔をあけて複数設けられている。これら係合片８の口部１１の径方向の長さは、つば部１３，１４間の口部１１の径より大きくかつ上方の口部１１の径より小さな径の円形に位置されるように形成されている。この係合片８の口部１１の径方向の長さ及び係合片８の厚さ（口部１１の軸方向の長さ）は、係止リング４のペットボトル１０の口部１１への装着と係止リング４の口部１１からの離脱の防止を行える範囲から任意に設定される。
【００１６】  可動部は、ヒンジ６を係止リング４に対して口部１１の軸方向に移動可能に支持するものである。可動部は、例えば、係合片８がない係止リング４と略同じリング状で、下端部の一部が係止リング４の上端部の一部に一体に連結された可動リング５で形成されている。この可動リング５は、係止リング４に連結された状態で、この連結箇所と反対側すなわち周方向に１８０°ずれた箇所が係止リング４に対して係止リング４の軸方向に移動し得るように形成されている。可動リング５と係止リング４は、円筒体の側部の軸方向の略中央部にその軸と直交する平面に平行な円弧状の切れ目を設けて形成され、この切れ目より一方図示例では下方が係止リング４として、他方図示例では上方が可動リング５として形成されている。係止リング４と連結されている箇所と反対側すなわち周方向に１８０°ずれた箇所の可動リング５の上端部にヒンジ６が形成されている。これにより、可動リング５によってヒンジ６が係止リング４に対して口部１１の軸方向に移動し得るようになっている。
【００１７】  ヒンジ６は、キャップ本体２を開閉可能に支持し、かつ、キャップ本体２を開状態に保持するものである。ヒンジ６は、キャップ本体２を開閉可能に支持し開状態に保持することができれば、特に限定されないが、例えば、キャップ本体２と可動リング５とを連結する連結部６１と、連結部６１の両側に設けられキャップ本体２を開状態に保持する保持部６２とを有していることが好ましい。
【００１８】  連結部６１は、キャップ本体２と可動リング５とを互いに近接した状態で互いに折り曲げ可能に連結する薄肉に形成されている。保持部６２は、連結部６１の両側に設けられている。保持部６２は、キャップ本体２と可動リング５とを連結し、かつ、キャップ本体２と可動リング５との間隔より長い寸法で断面屈曲状の薄肉状に形成されている。保持部６２のキャップ本体２と可動リング５との間隔の長さは、キャップ本体２で口部１１を閉じたとき、保持部６２の角部がキャップ本体２とは反対側に突出し、キャップ本体２を閉状態から開状態にしたとき、保持部６２の角部がキャップ本体２と反対側からキャップ本体２側に突出してキャップ本体２が開状態に保持され、かつ、開状態のキャップ本体２を閉状態にしたとき、保持部６２の角部がキャップ本体２側からキャップ本体２とは反対側に突出し得る寸法及び厚さで形成されている。
【００１９】  これにより、キャップ本体２を閉栓状態（図３（ａ）参照。）から開栓方向に口部１１に対して回転させたとき、キャップ本体２の回転に伴って係止リング４が口部１１の外周をその周方向に回転しつつ可動リング５を介してヒンジ６が係止リング４に対して口部１１の軸方向に移動しキャップ本体２が口部１１から離脱可能な位置に達し（図３（ｂ）参照。）、この状態からキャップ本体２をヒンジ６を介して口部１１を開くと（図３（ｃ）参照。）このキャップ本体２が開状態に保持され（図３（ｄ）参照。）、かつ、開状態に保持されたキャップ本体２を閉じてこのキャップ本体２を口部１１のねじ部に螺合させることで口部１１が閉じられるように構成されている。
【００２０】  また、キャップ１は、一度開栓すると破断する破断部７を備えている。破断部７は、係止リング４と可動リング５、可動リング５とキャップ本体２、係止リング４とキャップ本体２のこれら３つのうちの１つ又は２つ以上を破断可能に連結するもので、例えば、係止リング４と可動リング５、及び可動リング５とキャップ本体２をそれぞれ連結し、一度開栓すると破断するように形成されている。すなわち、未装着のキャップ１は、係止リング４と可動リング５及び可動リング５とキャップ本体２とがそれぞれ破断部７で連結されて、キャップ本体２、ヒンジ６、可動リング５及び係止リング４が略有底円筒状に形成されている。なお、破断部７は、係止リング４と可動リング５の間、及び可動リング５とキャップ本体２の間のどちらか一方に設けるようにしてもよい。
【００２１】  さて、本実施形態のキャップ１をペットボトル１０の口部１１に装着するには、破断部７が破断されていない未装着のキャップ１をキャップ本体２で口部１１の開口を覆うように係止リング４を口部１１のねじ部１２の外周に位置させ、キャップをペットボトル１０側に回転させたりして移動させつつキャップ本体２を口部１１のねじ部１２に螺合させる。そして、キャップ本体２で口部１１の開口を密閉する前に係合片８が上方のつば部１３と接触して可撓し、キャップ本体２で口部１１の開口を密閉する直前又は同時に係合片８が上方のつば部１３を乗り越えてつば部１３，１４間の口部１１の外周上に至る。このキャップ本体２で口部１１の開口を密閉した状態が未開封状態である（図３（ａ）参照。）。
【００２２】  この未開封状態から開栓するには、キャップ本体２の側部の外表面を指で掴んでキャップ本体２をペットボトル１０の口部１１に対して開栓方向（キャップ本体２が口部１１から離脱する方向）に回転させる。キャップ本体２には、ヒンジ６及び可動リング５を介して係止リング４が連結されているので、キャップ本体２とともに可動リング５及び係止リング４が口部１１の外周を回転する。そのキャップ本体２は、口部１１のねじ部１２に螺合されているため、その口部１１のねじ部１２によって回転しながら口部１１から離脱するように移動する。係止リング４は、係合片８が上方のつば部１３に係合されるので、口部１１の外周特につば部１３，１４間の口部１１の外周をその周方向に回転する。このように、係止リング４は、上方のつば部１３に係合されて口部１１から離脱する軸方向の移動が防止されるから、キャップ本体２が係止リング４から離れるように移動することで、キャップ本体２と可動リング５の間の破断部７、及び可動リング５と係止リング４の間の破断部７に引張応力がそれぞれかかり各破断部７が破断する。また、キャップ本体２の移動に伴って、可動リング５は、係止リング４に連結されたままヒンジ６側が口部１１から離脱する方向に移動して変形する。そして、キャップ本体２がヒンジ６を介して開動作を行える位置に達すると（図３（ｂ）参照。）、キャップ本体２の回転を止めてヒンジ６を介してキャップ本体２を開く（図３（ｃ）参照。）。
【００２３】  キャップ本体２を開くと、ヒンジ６がキャップ本体２を開状態に保持するので（図３（ｄ）参照。）、ペットボトル１０内の飲料水をペットボトル１０から直接飲む場合、キャップ本体２が邪魔になることがない。また、ペットボトル１０内の飲料水をコップ等の容器に注ぐ場合にもキャップ本体２が邪魔になることがない。
【００２４】  そして、キャップ本体２を閉じるには、キャップ本体２をヒンジ６を介して口部１１にかぶせて口部１１を閉じる方向に回転させ、キャップ本体２を口部１１のねじ部１２に螺合させる。このキャップ本体２の回転に伴って係止リング４は口部１１の外周を回転する。そして、キャップ本体２内のパッキン２１が口部１１の端部に接触して口部１１の開口が密封されて、キャップ本体２でペットボトル１０が閉じられる。
【００２５】  したがって、本実施形態のキャップ１は、係止部材３を、ペットボトル１０の口部１１の外周に回転可能でかつ口部１１からの離脱が防止された状態で装着される係止リング４と、キャップ本体２を開閉可能に支持しかつキャップ本体２を開状態に保持するヒンジ６と、係止リング４とヒンジ６を連結しヒンジ６を係止リング４に対して口部１１の軸方向に移動可能に支持する可動リング５と、一度開栓すると破断する破断部７とで構成することで、キャップ本体２が邪魔になることなくペットボトル１０から飲料水を直接飲んだり容器に注いだりすることができる。
【００２６】  キャップ本体２及び係止部材３を合成樹脂材で弾性変形可能に一体に形成し、その係止部材３の可動リング５を、口部１１の外周に装着されるリング状に形成し、この可動リング５の下端部の一部を係止リング４の上端部に連結し、かつ、この連結箇所と周方向に１８０°ずれた可動リング５の上端部にヒンジ６を形成したので、簡単な構造で安価に可動リング５を形成することができる。
【００２７】  ヒンジ６を、キャップ本体２と可動リング５とを連結する連結部６１と、連結部６１の両側に設けられキャップ本体２と可動リング５とを連結しかつキャップ本体２と可動リング５との間隔より長い寸法で断面屈曲状に形成されている保持部６２とで形成し、キャップ本体２で口部１１を閉じたとき、保持部６２の角部がキャップ本体２の内部方向とは反対側の外側に突出し、キャップ本体２を閉状態から開状態にしたとき、保持部６２の角部が外側からキャップ本体２の内部方向の内側に突出するように保持部６２の形状が変化してキャップ本体２が開状態に保持され、かつ、開状態のキャップ本体２を閉状態にしたとき、保持部６２の角部が内側から外側に突出するように保持部６２の形状が変化するように構成したので、簡単な構造で安価にキャップ本体２を閉状態に保持することができる。
【００２８】  係止部を、係止リング４の内周面にその周方向に間隔をあけて複数設け、その内周面から径方向内方に突出しかつ口部１１の軸方向と直交する面に平行な平板状に形成された係合片８で形成することで、簡単な構造で安価に係止部を形成することができる。
【符号の説明】
【００２９】１  キャップ
２  キャップ本体
３  係止部材
４  係止リング
５  可動リング
６  ヒンジ
７  破断部
８  係合片
１０  ペットボトル
１１  口部
１２  ねじ部
１３  つば部
６１  連結部
６２  保持部
【図１】
0003167601.tif 000003
【図２】
0003167601.tif 000004
【図３】
0003167601.tif 000005